(57)【要約】【課題】防水手段の劣化を防止し、且つ、手間をかけることなく建築物に緑化手段を付与することができる、防水工法を提供する。【解決手段】屋上、屋根、外壁等建築物の下地１２の表面に防水手段１４を施す防水工程と、防水手段１４の上に配設され、防水手段１４を保護すると共に建築物に植物２４を養生させる緑化手段１６を付与する緑化工程を含み、防水手段１４と緑化手段１６とは、固着手段２２により、一体的に配設される。緑化手段１６は、断熱層の機能を有するとともに、防水手段１４の劣化を防止する保護層としての機能も有する。【選択図】　　　図１
2004092325.tif 000002
【特許請求の範囲】
【請求項１】
屋上、屋根、外壁等建築物の下地の表面に防水手段を施す防水工程、
前記防水手段の上に配設され、前記防水手段を保護すると共に前記建築物に植物を養生させる緑化手段を付与する緑化工程を含む防水工法であって、
前記防水手段と前記緑化手段とが一体的に配設されることを特徴とする、防水工法。
【請求項２】
前記防水手段は、前記下地の表面に形成される塗膜防水層を含み、
前記緑化手段は、前記塗膜防水層の表面に固着され、苔等の地衣類を収納するパレット状の収納体、および
前記収納体の上に被せられ、前記地衣類を前記収納体に固定する固定手段を含むことを特徴とする、請求項１に記載の防水工法。
【請求項３】
前記防水手段は、前記下地の表面に形成される塗膜防水層を含み、
前記緑化手段は、前記塗膜防水層の表面に固着されるシート基材、
前記シート基材の上に固着され、苔等の地衣類が保持される保持体を含むことを特徴とする、請求項１に記載の防水工法。
【発明の詳細な説明】
【０００１】
【発明の属する技術分野】
本願発明は、防水工法に関し、特に、たとえば建築物の屋上、屋根、外壁に施される防水工法に関する。
【０００２】
【従来の技術】
本願発明の背景となる従来の建築物の屋上、屋根等の防水工法には、種々のものがあるが、温度、日光等の影響により、防水処理された表面の劣化が問題となっている。また、一方では、大都市のビル街等におけるヒートアイランド現象等が環境問題として問われている。
そこで、本願発明の発明者は、防水処理された建築物表面の劣化を防止し、さらに、ヒートアイランド現象を防止する手段として、屋上緑化をも組み込んだ防水工法を模索するに至った。
【０００３】
【発明が解決しようとする課題】
しかしながら、従来の屋上、屋根等の緑化方法では、屋上の床面に土を配置し、低木、花等の植物群を植生させたもの、植木鉢およびプランター等に植えられたものを屋上の床面に載置したものが多かった。この場合、土、植物群、植物群への散水手段等の付帯設備を含め、建築物にかかる重量が重くなる上、植物群および付帯設備のメンテナンスも必要となり、総じて、手間のかかるものであった。そのため、従来の緑化方法では、メンテナンスにかかる費用も含め、トータルコストが高くつくものであった。
【０００４】
それゆえに、本願発明の主たる目的は、防水手段の劣化を防止し、且つ、手間をかけることなく建築物に緑化手段を付与することができる、防水工法を提供することである。
【０００５】
【課題を解決するための手段】
請求項１にかかる本願発明は、屋上、屋根、外壁等建築物の下地の表面に防水手段を施す防水工程と、防水手段の上に配設され、防水手段を保護すると共に建築物に植物を養生させる緑化手段を付与する緑化工程を含む防水工法であって、防水手段と緑化手段とが一体的に配設されることを特徴とする、防水工法である。
請求項２にかかる本願発明は、請求項１に従属する発明であって、防水手段は、下地の表面に形成される塗膜防水層を含み、緑化手段は、塗膜防水層の表面に固着され、苔等の地衣類を収納するパレット状の収納体と、収納体の上に被せられ、地衣類を収納体に固定する固定手段とを含むことを特徴とする、防水工法である。
請求項３にかかる本願発明は、請求項１に従属する発明であって、防水手段は、下地の表面に形成される塗膜防水層を含み、緑化手段は、塗膜防水層の表面に固着されるシート基材と、シート基材の上に固着され、苔等の地衣類が保持される保持体とを含むことを特徴とする、防水工法である。
［作用］
請求項１にかかる本願発明では、防水工程により、屋上、屋根、外壁等建築物の下地の表面に防水手段が施される。そして、緑化工程により、建築物に植物を養生させる緑化手段が付与される。この場合、緑化手段は、防水手段の上に配設されるため、日光等の紫外光による防水手段の劣化が防止される。また、緑化手段は、断熱層としての機能を有すため、寒暖等の温度による防水手段の劣化も防止される。さらに、緑化手段が防水手段の上に一体的に配設されるため、緑化手段は防水手段により安定して建築物に保持される。
請求項２にかかる本願発明では、塗膜防水層により建築物の下地表面が防水される。緑化手段において、苔等の地衣類がパレット状の収納体に収納されるとともに、固定手段により苔等の地衣類が収納体に固定される。さらに、収納体自体は、塗膜防水層の表面に固着される。そのため、苔等の地衣類は安定して建築物に配設される。この場合、植物が苔等の地衣類に特定されるため、従来の低木、花等の植物群に比べて、重量も軽く、散水等のメンテナンスもあまり必要とせず、手間をかけずに建築物に緑化手段を付与することが可能となる。さらに、苔等の地衣類は、断熱層の機能を有するとともに、塗膜防水層の劣化を防止する保護層の機能をも有する。
請求項３にかかる本願発明では、塗膜防水層により建築物の下地表面が防水される。緑化手段において、苔等の地衣類が保持体に保持される。保持体に保持された苔等の地衣類は、シート基材に固着される。さらに、シート基材は、塗膜防水層の表面に固着される。そのため、苔等の地衣類は安定して建築物に配設される。この場合、請求項２にかかる防水工法と同様に、植物が苔等の地衣類に特定されるため、従来の低木、花等の植物群に比べて、重量も軽く、散水等のメンテナンスもあまり必要とせず、手間をかけずに建築物に緑化手段を付与することが可能となる。さらに、苔等の地衣類は、断熱層の機能を有するとともに、塗膜防水層の劣化を防止する保護層の機能をも有する。
【０００６】
本願発明の上述の目的，その他の目的，特徴および利点は、図面を参照して行う以下の発明の実施の形態の詳細な説明から一層明らかとなろう。
【０００７】
【発明の実施の形態】
【実施例】
図１は、本願発明の一実施例を示す断面図解図であり、図２は、その平面図解図である。本願発明は、防水工法に関するものであるが、本実施例では、本願発明にかかる防水工法が適用された建築物の屋上の防水構造１０を例示して説明する。本実施例にかかる防水構造１０は、たとえばコンクリート材料からなる下地１２を含む。下地１２の表面には、防水手段としての機能を有する塗膜防水層１４が形成される。塗膜防水層１４は、たとえばゴムアスファルト系の塗膜防水剤をローラ，コテ，ヘラ等を用いて塗布する方法、あるいは、吹き付け機等で吹き付け塗布することによって形成される。
【０００８】
塗膜防水層１４の表面には、たとえばユニット化された複数の緑化手段１６が配設される。複数の緑化手段１６は、それぞれ、パレット状の収納体１８を含む。収納体１８は、その中央部にたとえば１つの開口部２０を有する。この開口部２０は、後述する植物２４を収納するための収納部としての機能を有するものである。本実施例では、例えば、収納体１８がその上面にたとえば方形の開口部２０を有する直方体状に形成される。収納体１８は、保水性に優れた多孔質の材料で形成されることが好ましく、本実施例では、収納体１８がセメント、レンガ、セラミックス、その他の非金属無機材料で形成される。また、収納体１８は、たとえばプレス成形、押し出し成形等の方法により加工される。
【０００９】
複数の収納体１８は、それぞれ、その下面が接着剤等の固着手段２２により塗膜防水層１４の表面に固着される。複数の収納体１８の開口部２０には、それぞれ、植物２４が収納される。本実施例では、植物２４として、特に、たとえば苔等の地衣類が収納体１８の開口部２０に収納される。
【００１０】
さらに、収納体１８の上には、固定手段開口部２０を覆うように、たとえば方形でネット状の被覆部材２６が被せられる。被覆部材２６は、開口部２０よりも大きく形成され、収納体１８の四隅部分で、たとえば固定ピン，固定アンカー等の固定部材２８により固定される。被覆部材２６および固定部材２８は、収納体１８に収納された植物２４が開口部２０から移動しないように、植物２４を収納体１８の開口部２０に固定するための固定手段としての機能を有するものである。
【００１１】
本実施例では、たとえば図２に示すように、複数の収納体１８が所定の間隔を隔てて、塗膜防水層１４の表面に配置される。この場合、隣接する収納体１８，１８間には、排水手段としての排水溝３０が構成される。そのため、本実施例の防水構造１０では、該防水構造１０が建築物の屋上、屋根等に適用された場合、排水が容易となる。
【００１２】
図１および図２に示す上述の実施例では、塗膜防水層１４により建築物の下地１２の表面が防水される。また、緑化手段１６の植物２４は、断熱層の機能を有するので、太陽光等による下地１２からの輻射熱を軽減させることができる。さらに、収納体１８の開口部２０に収納された植物２４は、塗膜防水層１４の保護層としての機能を有するので、太陽光の紫外線による塗膜防水層１４の劣化をも防止することができる。パレット状の収納体に収納されるとともに、固定手段により苔等の地衣類が収納体に固定される。
【００１３】
さらに、収納体１８は、塗膜防水層１４の表面に固着されるので、植物２４は安定して屋上に配設される。しかも、上述の実施例では、植物２４として、特に、たとえば苔等の地衣類が用いられているため、従来の低木、花等の植物群に比べて、重量も軽く、散水等のメンテナンスもあまり必要とせず、手間をかけずに建築物の屋上緑化が図れる。
【００１４】
上述の実施例では、収納体１８が直方体状に形成され、該収納体１８に配設される開口部２０が方形に形成されたが、収納体１８および開口部２０の形状は、それらに限定されるものではなく、たとえば矩形状、楕円状、円形状、三角形状、その他の多角形状等種々の形状に形成されてもよい。さらに、開口部２０の個数についても、上述の実施例のように１つに限定されるものではなく、１つの収納体１８に複数の開口部２０を設けるようにしてもよい。
また、上述の実施例では、収納体１８がセメント、レンガ、セラミックス、その他の非金属無機材料で形成されたが、それらに限定されるものではなく、保水性を有する材料であればよい。さらに、収納体１８を構成する材料には、たとえば種々の産業廃棄物を単体であるいは複合して用いてもよく、この場合、保水性の良いものであればよい。
【００１５】
さらに、上述の実施例では、複数の収納体１８が図２に示すように、所定の間隔を隔てて配置したが、複数の収納体１８は、たとえば図３に示すように、互いに密着して配置するようにしてもよい。この場合、複数の収納体１８，１８間に排水溝３０は構成されないが、互いに密着して隣接された複数の収納体１８の外側に適宜排水路を設けることができる。
【００１６】
図４は、本願発明のさらに他の実施例を示す断面図解図であり、図５は、そのの要部を示す断面図解図である。本実施例は、上述の実施例と比べて、特に、緑化手段１６を構成する構造が相違する。上述の実施例では、植物２４が収納体１８の開口部２０に収納され、被覆部材２６，固定部材２８等の固定手段により固定・保持されたが、図４，図５に示す実施例では、基材シート３０に固着される保持体３６によって植物２４が固定・保持される。
【００１７】
すなわち、図４，図５に示す実施例の防水構造１０に適用される緑化手段は、下地１２表面に形成される塗膜防水層１４の表面に固着される枚葉型で矩形状の基材シート３０を含む。基材シート３０の裏面には、たとえば図５に示すように、接着剤層３２が形成され、該接着剤層３２の表面には、剥離紙３４が仮着される。また、基材シート３０の表面には、たとえばネット状に編成された保持体３６が、接着剤層３８により固着される。保持体３６には、苔等の地衣類が保持・固定され、植生される。本実施例では、剥離紙３４を剥がして接着剤層３２を露出させ、該接着剤層３２面を塗膜防水層１４の表面に当接且つ押圧することにより、基材シート３０が塗膜防水層１４に固着される。
図４，図５に示す実施例では、上述した実施例と同様に、緑化手段の植物２４が断熱層としての機能と、塗膜防水層１４の劣化を防止する保護層としての機能を有するものであり、上述の実施例と同様の効果を奏するものである。
【００１８】
図４，図５に示す実施例では、基材シート３０が枚葉型に形成されたが、基材シート３０は、たとえば帯状に形成されたものをロール状に保持し、たとえば屋上の広さ等に応じて、ロール状に保持された状態から引出して、適宜切断して用いるようにしてもよい。
また、図４，図５に示す実施例では、植物２４（苔等の地衣類）を固定・保持する保持体３６がネット状に編成されたものが用いられたが、保持体３６としては、編成されたものに限らず、たとえば図６に示すように、不織布のように編成されていない構造体を保持体４０として用いられてもよい。なお、保持体３６，４０を構成する材料としては、合成樹脂、天然樹脂、合成繊維、天然繊維、ガラス繊維、金属材料等、種々の材料が用いられ得る。また、保持体３６を構成する材料には、たとえば種々の産業廃棄物を単体であるいは複合して用いてもよく、この場合、保持体３６は、多くの細かい空間を備えた立体状物に形成されることが好ましい。
【００１９】
なお、上述の各実施例では、建築物の屋上の防水構造を例示して説明したが、本願発明にかかる防水工法および防水構造１０は、それに限定されるものではなく、屋上以外にも、屋根や外壁等建築物の表面に施される防水手段に適宜適用され得るものである。また、上述の各実施例では、下地１２がコンクリート材料で形成されたが、下地１２の材料はそれに限定されるものではなく、気泡コンクリート製品（ＡＬＣ）、セメント、モルタル、木質材料、金属材料、レンガ等々、種々の建築材料を用いるようにしてもよい。さらに、上述の各実施例では塗膜防水層１４がゴムアスファルト系の塗膜防水剤で形成されたが、それに限らず、たとえばＦＲＰ系、ウレタン系、アクリル系、エポキシ系、エチレン酢酸ビニル系の塗膜防水剤で形成されてもよい。また、上述の各実施例では単一の塗膜防水層を形成したが、これに変えて、複数の塗膜防水層を積層した複合塗膜防水層を形成してもよい。
【００２０】
【発明の効果】本願発明によれば、防水手段の劣化を防止し、且つ、手間をかけることなく建築物に緑化手段を付与することができる、防水工法が得られる。
【図面の簡単な説明】
【図１】本願発明の一実施例を示す断面図解図である。
【図２】本願発明の一実施例を示す平面図解図である。
【図３】本願発明の他の実施例を示す平面図解図である。
【図４】本願発明のさらに他の実施例を示す断面図解図である。
【図５】図４の実施例の要部を示す断面図解図である。
【図６】図４の実施例に適用される保持体の他の例を示す斜視図解図である。
【符号の説明】
１０　建築物の防水構造
１２　建築物の下地
１４　塗膜防水層
１６　緑化手段
１８　収納体
２０　開口部（収納部）
２２　固着手段
２４　植物（苔等の地衣類）
２６　被覆部材
２８　固定部材
３０　排水手段
３２，３８　接着剤層
３４　剥離紙
３６，４０　保持体
【図１】
2004092325.tif 000003
【図２】
2004092325.tif 000004
【図３】
2004092325.tif 000005
【図４】
2004092325.tif 000006
【図５】
2004092325.tif 000007
【図６】
2004092325.tif 000008